(57)【要約】【課題】  長尺状の剥離シートにおける剥離面の上にラベルが多数仮着されたラベル体をロール状に巻回させたラベル体巻回体や、テープ基材の剥離面と反対側の面に粘着剤層が設けられた長尺状の粘着テープをロール状に巻回させた粘着テープ巻回体において、別個に巻芯を用いなくても、ラベル体巻回体や粘着テープ巻回体が巻回された状態で適切に維持されるようにする【解決手段】  長尺状の剥離シート11における剥離面11aの上にラベル12が多数仮着されたラベル体10をロール状に巻回させたラベル体巻回体A１〜A4において、ラベル体の長手方向の一端部に筒状部13を形成するように、ラベル体の同一面側を固定させると共に筒状側の部分においてラベル体に幅方向の折れ目を形成するようにして折り返し、この筒状部を中心にして上記のラベル体をロール状に巻回させた。【選択図】  図５
2006076703.tif 000002
【特許請求の範囲】
【請求項１】
長尺状の剥離シートにおける剥離面の上にラベルが多数仮着されたラベル体をロール状に巻回させてなるラベル体巻回体であって、上記のラベル体の長手方向の一端部に筒状部を形成するように、ラベル体の同一面側を固定させると共に筒状側の部分においてラベル体に幅方向の折れ目が形成されるようにして折り返し、上記のように形成した筒状部を中心にして上記のラベル体をロール状に巻回させたことを特徴とするラベル体巻回体。
【請求項２】
請求項１に記載したラベル体巻回体において、上記のようにラベル体の同一面側を固定させるにあたり、上記の剥離シートの剥離面と反対側の面相互を固定させたことを特徴とするラベル体巻回体。
【請求項３】
請求項１又は請求項２に記載したラベル体巻回体において、上記のようにラベル体の同一面側を固定させるにあたり、ラベル体相互を接着剤によって固定させたことを特徴とするラベル体巻回体。
【請求項４】
ラベル基材の剥離面と反対側の面に粘着剤層が設けられた長尺状のラベル体をロール状に巻回させてなるラベル体巻回体であって、このラベル体の長手方向の一端部に筒状部を形成するように、ラベル体の同一面側を固定させると共に筒状側の部分においてラベル体に幅方向の折れ目が形成されるようにして折り返し、上記のように形成した筒状部を中心にして上記のラベル体をロール状に巻回させたことを特徴とする剥離紙のないラベル体巻回体。
【請求項５】
テープ基材の剥離面と反対側の面に粘着剤層が設けられた長尺状の粘着テープをロール状に巻回させてなる粘着テープ巻回体であって、この粘着テープの長手方向の一端部に筒状部を形成するように、粘着テープの同一面側を固定させると共に筒状側の部分において粘着テープに幅方向の折れ目が形成されるようにして折り返し、上記のように形成した筒状部を中心にして上記の粘着テープをロール状に巻回させたことを特徴とする粘着テープ巻回体。
【発明の詳細な説明】
【技術分野】
【０００１】
この発明は、長尺状の剥離シートにおける剥離面の上にラベルを多数仮着させたラベル体をロール状に巻回させてなるラベル体巻回体及びテープ基材の剥離面と反対側の面に粘着剤層が設けられた長尺状の粘着テープをロール状に巻回させてなる粘着テープ巻回体に係り、特に、別個に巻芯を用いなくても、上記のラベル体巻回体や粘着テープ巻回体が巻回された状態で適切に維持されるようにすると共に、上記のラベル体巻回体においては、巻回されたラベル体を引き出してラベルを物品等に貼付する作業が最後まで適切に行えるようにした点に特徴を有するものである。
【背景技術】
【０００２】
従来より、長尺状の剥離シートにおける剥離面の上にラベルが多数仮着されたラベル体をロール状に巻回させたラベル体巻回体や、テープ基材の剥離面と反対側の面に粘着剤層が設けられた長尺状の粘着テープをロール状に巻回させた粘着テープ巻回体が用いられている。
【０００３】
ここで、このようなラベル体巻回体や粘着テープ巻回体としては、一般に筒状になった巻芯に、固定用テープ等で上記のラベル体や粘着テープの一端を取り付けて巻き取ったものが一般に使用されている。
【０００４】
しかし、このように巻芯に上記のラベル体や粘着テープの一端を取り付けて巻き取ったラベル体巻回体や粘着テープ巻回体の場合、巻芯の分だけコストが高くつくと共に、巻回させるラベル体や粘着テープの長さが短くなり、またこれらを使用し終わった後に巻芯が残り、この巻芯を処分しなければならなくなるという問題があった。
【０００５】
また、上記のラベル体巻回体において、剥離シートの剥離面に仮着されたラベルを順々に物品等に貼付させるにあたっては、例えば、ハンディタイプのラベル貼付機、いわゆるハンドラベラーを用い、このハンドラベラーのホルダー部にこのラベル体巻回体を回転可能に保持させ、一対のローラ等によりこのラベル体巻回体を回転させて上記のラベル体を引き出すようにし、このように引き出したラベル体をラベル剥離部において折り返すようにして走行させ、このラベル剥離部において、上記のラベルを剥離シートから剥離させて物品等に貼付させる一方、ラベルが剥離された剥離シートをハンドラベラー外に排出させるようにしていた。
【０００６】
しかし、上記のように筒状になった巻芯に固定用テープ等でラベル体の一端を取り付けて巻き取ったラベル体巻回体の場合、固定用テープ等でラベル体が巻芯に強く取り付けられていると、ラベル体を引き出す最後の段階で、ラベル体が巻芯から外れずに、ハンドラベラーに強い力が作用し、ハンドラベラーにトラブルが発生するという問題があった。また、この固定用テープ等がラベル体と一緒に巻芯から外れた場合においても、この固定用テープ等がラベル体の走行過程においてハンドラベラーの内部等に付着して、ハンドラベラーにトラブルが生じるという問題があった。
【０００７】
このため、巻芯に貼着させる面に比較的強い貼着剤層を設ける一方、ラベル体等のウエブに貼着させる面に比較的弱い貼着剤層を設けた両面貼着材を用い、この両面貼着材によりラベル体等のウエブを巻芯に固定させ、上記のようにラベル体を引き出す最後の段階では、ラベル体が両面貼着材から外れて、両面貼着材が巻芯に貼着された状態で残るようにしたものも提案されている（例えば、特許文献１参照。）。
【０００８】
しかし、このような両面貼着材を用いた場合においても、巻芯やラベル体の表面状態や、接着方法などによって、両面貼着材の巻芯やラベル体に対する接着力が変化し、確実にラベル体が両面貼着材から外れて、両面貼着材が巻芯に貼着された状態で残るとは限られず、ハンドラベラーにトラブルが生じるおそれがあった。
【０００９】
また、このように両面貼着材を用いる場合においても、巻芯を使用するため、使用し終わった後に巻芯が残り、この巻芯を処分しなければならない等の問題が依然として存在した。
【特許文献１】特開２００１−１６３４９０号公報
【発明の開示】
【発明が解決しようとする課題】
【００１０】
この発明は、長尺状の剥離シートにおける剥離面の上にラベルが多数仮着されたラベル体をロール状に巻回させたラベル体巻回体や、テープ基材の剥離面と反対側の面に粘着剤層が設けられた長尺状の粘着テープをロール状に巻回させた粘着テープ巻回体における上記のような問題を解決することを課題とするものである。
【００１１】
すなわち、この発明においては、別個に巻芯を用いなくても、上記のラベル体巻回体や粘着テープ巻回体が巻回された状態で適切に維持されるようにすると共に、ラベル体巻回体においては、ハンドラベラー等を用いて、巻回されたラベル体を引き出し、ラベルを物品等に貼付するにあたり、このような作業がラベル体の最後まで適切に行えるようにすることを課題とするものである。
【課題を解決するための手段】
【００１２】
この発明のラベル体巻回体においては、上記のような課題を解決するため、長尺状の剥離シートにおける剥離面の上にラベルが多数仮着されたラベル体をロール状に巻回させてなるラベル体巻回体において、上記のラベル体の長手方向の一端部に筒状部を形成するように、ラベル体の同一面側を固定させると共に筒状側の部分においてラベル体に幅方向の折れ目が形成されるようにして折り返し、上記のように形成した筒状部を中心にして上記のラベル体をロール状に巻回させるようにしたのである。
【００１３】
この発明の他のラベル体巻回体においては、上記のような課題を解決するため、ラベル基材の剥離面と反対側の面に粘着剤層が設けられた長尺状のラベル体をロール状に巻回させてなるラベル体巻回体において、このラベル体の長手方向の一端部に筒状部を形成するように、ラベル体の同一面側を固定させると共に筒状側の部分においてラベル体に幅方向の折れ目が形成されるようにして折り返し、上記のように形成した筒状部を中心にして上記のラベル体をロール状に巻回させるようにしたのである。
【００１４】
また、この発明の粘着テープ巻回体においては、上記のような課題を解決するため、テープ基材の剥離面と反対側の面に粘着剤層が設けられた長尺状の粘着テープをロール状に巻回させてなる粘着テープ巻回体において、この粘着テープの長手方向の一端部に筒状部を形成するように、粘着テープの同一面側を固定させると共に筒状側の部分において粘着テープに幅方向の折れ目が形成されるようにして折り返し、上記のように形成した筒状部を中心にして上記の粘着テープをロール状に巻回させるようにしたのである。
【発明の効果】
【００１５】
この発明におけるラベル体巻回体においては、上記のようにラベル体の長手方向の一端部に筒状部を形成するように、ラベル体の同一面側を固定させると共に筒状側の部分においてラベル体に幅方向の折れ目が形成されるようにして折り返し、このように形成した筒状部を中心にして上記のラベル体をロール状に巻回させるようにしたため、従来のように固定用テープ等でラベル体の一端を巻芯に取り付けて巻き取る必要がなくなる。
【００１６】
この結果、この発明におけるラベル体巻回体においては、巻芯を用いる必要がなくなり、従来のように巻芯の分だけコストが高くついたり、巻回させるラベル体の長さが短くなったり、使用し終わった後に巻芯を処分する必要がなくなる。
【００１７】
また、この発明におけるラベル体巻回体においては、上記のようにラベル体の長手方向の一端部に筒状部を形成するように、ラベル体の同一面側を固定させると共に筒状側の部分においてラベル体に幅方向の折れ目を形成するようにして折り返し、この筒状部を中心にしてラベル体をロール状に巻回させるようにしたため、このように巻回させたラベル体巻回体の中心部の径が勝手に収縮するのが抑制され、ラベル体巻回体の中心部側の巻きが勝手に緩むのが防止されるようになる。
【００１８】
また、この発明におけるラベル体巻回体においては、上記のようにラベル体の長手方向の一端部に筒状部を形成するにあたり、ラベル体の同一面側を固定させるようにしたため、ラベル体の長手方向の一端部を巻き込むようにしてラベル体の異なる面を固定させる場合のように、ラベル体の長手方向の一端部を巻き込むための特別の装置を必要とせず、またラベル体を固定させるように予め接着剤等を付与した場合においても、固定させる部分以外でラベル体が接着剤等によって接着されるということも簡単に防止できるようになる。
【００１９】
また、この発明におけるラベル体巻回体においては、前記のようにハンドラベラーのホルダー部にこのラベル体巻回体を回転可能に保持させ、一対のローラ等によりこのラベル体巻回体を回転させてラベル体を引き出し、このように引き出したラベル体をラベル剥離部において折り返すようにして走行させ、このラベル剥離部において、上記のラベルを剥離シートから剥離させて物品等に貼付させるようにした場合において、ラベル体を引き出す最後の段階で、従来のようにラベル体が巻芯から外れずに、ハンドラベラーに強い力が作用してハンドラベラーにトラブルが発生したり、また固定用テープ等がラベル体と一緒に巻芯から外れて、この固定用テープ等がラベル体の走行過程においてハンドラベラーの内部等に付着して、ハンドラベラーにトラブルが生じるということもなくなる。
【００２０】
また、この発明の他のラベル体巻回体においては、上記のようにラベル基材の剥離面と反対側の面に粘着剤層が設けられた長尺状のラベル体を用い、この長尺状のラベル体の長手方向の一端部に筒状部を形成するように、ラベル体の同一面側を固定させると共に筒状側の部分においてラベル体に幅方向の折れ目が形成されるようにして折り返し、このように形成した筒状部を中心にしてラベル体をロール状に巻回させるようにしたため、ラベル体の一端を巻芯に取り付けて巻き取る必要がなくなり、巻芯の分だけコストが高くついたり、巻回させる粘着テープの長さが短くなったり、使用し終わった後に巻芯を処分する必要がなくなる。
【００２１】
また、この発明における他のラベル体巻回体においても、上記のようにラベル体の長手方向の一端部に筒状部を形成するように、ラベル体の同一面側を固定させると共に筒状側の部分においてラベル体に幅方向の折れ目が形成されるようにして折り返し、このように形成した筒状部を中心にしてラベル体をロール状に巻回させるようにしたため、このように巻回させたラベル体巻回体の中心部の径が勝手に収縮するのが抑制され、ラベル体巻回体の中心部側の巻きが勝手に緩むのが防止されるようになる。
【００２２】
また、この発明における粘着テープ巻回体においては、上記のように粘着テープの長手方向の一端部に筒状部を形成するように、粘着テープの同一面側を固定させると共に筒状側の部分において粘着テープに幅方向の折れ目が形成されるようにして折り返し、このように形成した筒状部を中心にして粘着テープをロール状に巻回させるようにしたため、従来のように固定用テープ等で粘着テープの一端を巻芯に取り付けて巻き取る必要がなくなる。
【００２３】
この結果、この発明における粘着テープ巻回体においても、巻芯を用いる必要がなくなり、従来のように巻芯の分だけコストが高くついたり、巻回させる粘着テープの長さが短くなったり、使用し終わった後に巻芯を処分する必要がなくなる。
【００２４】
また、この発明における粘着テープ巻回体においても、上記のように粘着テープの長手方向の一端部に筒状部を形成するように、粘着テープの同一面側を固定させると共に筒状側の部分において粘着テープに幅方向の折れ目が形成されるようにして折り返し、このように形成した筒状部を中心にして粘着テープをロール状に巻回させるようにしたため、このように巻回させた粘着テープ巻回体の中心部の径が勝手に収縮するのが抑制され、粘着テープ巻回体の中心部側の巻きが勝手に緩むのが防止されるようになる。
【発明を実施するための最良の形態】
【００２５】
以下、この発明の実施形態に係るラベル体巻回体及び粘着テープ巻回体を添付図面に基づいて具体的に説明する。なお、この発明に係るラベル体巻回体及び粘着テープ巻回体は、特に下記の実施形態に示したものに限定されるものではなく、その要旨を変更しない範囲において適宜変更して実施できるものである。
【００２６】
（実施形態１）
実施形態１におけるラベル体巻回体においては、図１（Ａ），（Ｂ）に示すように、長尺状の剥離シート１１における剥離面１１ａの上に、粘着剤層１２ａによりラベル１２が多数仮着されたラベル体１０を用いるようにした。
【００２７】
そして、この実施形態において、上記のラベル体１０の長手方向の一端部に筒状部１３を形成するにあたっては、図２に示すように、このラベル体１０の長手方向一端部側を、上記の剥離シート１１における剥離面１１ａと反対側の面１１ｂが内周面側に位置するようにして曲げ、このラベル体１０の端部において、対向する上記の反対側の面１１ｂ相互を接着剤１４により接着させ、その後、このラベル体１０の端部と対向する側において、このラベル体１０をその幅方向に折れ目が形成されるようにして、上記の剥離シート１１における剥離面１１ａ相互が重なるように折り返し、ラベル体１０の長手方向の一端部に筒状部１３を形成するようにした。
【００２８】
ここで、上記のように剥離面１１ａと反対側の面１１ｂ相互を接着剤１４によって接着させるようにすると、剥離面１１ａ相互を接着させる場合に比べて、簡単且つ強固に接着させることができ、ラベル体１０の長手方向の一端部に筒状部１３を形成することが容易になると共に、この筒状部１３が強固に維持されるようになる。
【００２９】
なお、この実施形態においては、ラベル体１０の長手方向の一端部に筒状部１３を形成するにあたり、剥離シート１１における剥離面１１ａと反対側の面１１ｂ相互を接着剤１４で接着させるようにしたが、接着剤１４に代えて両面接着テープ（図示せず）を用いることも可能である。
【００３０】
そして、上記のようにラベル体１０の長手方向の一端部に筒状部１３を形成した後は、図３に示すように、この筒状部１３を中心にして、ラベル１２が仮着された剥離シート１１の剥離面１１ａが内周側にくるようにしてラベル体１０を巻き取って、図４に示すようなラベル体巻回体Ａ１を作製した。
【００３１】
ここで、このように作製したラベル体巻回体Ａ１をハンドラベラー（図示せず）に回転可能に保持させ、このラベル体巻回体Ａ１を回転させて上記のラベル体１０を引き出すようにした場合、図４に示すように、上記のラベル１２が仮着された剥離シート１１の剥離面１１ａが内周面側に位置するようになる。
【００３２】
なお、この実施形態におけるラベル体巻回体Ａ１においては、上記のようにラベル体１０の長手方向の一端部に筒状部１３を形成してラベル体１０の一端部を固定させ、この筒状部１３を中心にしてラベル体１０をロール状に巻回させるようにしたため、巻芯を用いなくても、巻回させたラベル体巻回体Ａ１の中心部の径が勝手に収縮するのが防止され、ラベル体巻回体Ａ１の中心部側の巻きが勝手に緩むということがなく、ラベル体１０が巻回された状態で適切に維持されるようになると共に、このラベル体巻回体Ａ１から巻回されたラベル体１０を引き出してラベル１２を物品等に貼付する作業が最後まで適切に行えるようになる。
【００３３】
（実施形態２）
実施形態２におけるラベル体巻回体においても、上記の実施形態１の場合と同様に、図１（Ａ），（Ｂ）に示すラベル体１０を用いるようにした。
【００３４】
そして、この実施形態において、上記のラベル体１０の長手方向の一端部に筒状部１３を形成するにあたっては、図５に示すように、このラベル体１０の長手方向一端部側を、上記の剥離シート１１における剥離面１１ａと反対側の面１１ｂが内周面側に位置するようにして曲げ、このラベル体１０の端部において、対向する上記の反対側の面１１ｂ相互を接着剤１４により接着させ、その後、上記のように曲げたラベル体１０の端部をその幅方向に折れ目が形成されるようにして、上記の剥離シート１１における剥離面１１ａ相互が重なるように折り返し、ラベル体１０の長手方向の一端部に筒状部１３を形成するようにした。
【００３５】
そして、上記のようにラベル体１０の長手方向の一端部に筒状部１３を形成した後は、図６に示すように、この筒状部１３を中心にして、ラベル１２が仮着された剥離シート１１の剥離面１１ａが外周側にくるようにしてラベル体１０を巻き取って、図７に示すようなラベル体巻回体Ａ２を作製した。
【００３６】
ここで、このように作製したラベル体巻回体Ａ２をハンドラベラー（図示せず）に回転可能に保持させ、このラベル体巻回体Ａ１を回転させて上記のラベル体１０を引き出すようにした場合、図７に示すように、上記のラベル１２が仮着された剥離シート１１の剥離面１１ａが外周面側に位置するようになる。
【００３７】
なお、この実施形態におけるラベル体巻回体Ａ２においても、上記の実施形態１におけるラベル体巻回体Ａ１と同様に、ラベル体１０の長手方向の一端部に筒状部１３を形成した状態でラベル体１０の一端部を固定させ、この筒状部１３を中心にしてラベル体１０をロール状に巻回させるようにしたため、巻芯を用いなくても、巻回させたラベル体巻回体Ａ２の中心部の径が勝手に収縮するのが防止され、ラベル体巻回体Ａ２の中心部側の巻きが勝手に緩むということがなく、ラベル体１０が巻回された状態で適切に維持されるようになると共に、このラベル体巻回体Ａ２から巻回されたラベル体１０を引き出してラベル１２を物品等に貼付する作業が最後まで適切に行えるようになる。
【００３８】
（実施形態３）
実施形態３におけるラベル体巻回体においても、上記の実施形態１の場合と同様に、図１（Ａ），（Ｂ）に示すラベル体１０を用いるようにしていた。
【００３９】
そして、この実施形態において、上記のラベル体１０の長手方向の一端部に筒状部１３を形成するにあたっては、図８に示すように、このラベル体１０の長手方向一端部側を、上記の剥離シート１１における剥離面１１ａが内周面側に位置するようにして曲げ、このラベル体１０の端部において、対向する上記の剥離面１１ａ相互を接着剤１４により接着させ、その後、このラベル体１０の端部と対向する側において、このラベル体１０をその幅方向に折れ目が形成されるようにして、上記の剥離シート１１の剥離面１１ａと反対側の面１１ｂ相互が重なるように折り返し、ラベル体１０の長手方向の一端部に筒状部１３を形成するようにした。
【００４０】
ここで、上記のように剥離面１１ａ相互を接着剤１４により接着させる場合、剥離面１１ａの接着性が低いため、その接着剤１４としては、一般に剥離面１１ａに使用されるシリコーン系のものと同系統のシリコーン系接着剤を用いることが好ましい。また、このような接着剤１４に代えて、両面接着テープ（図示せず）を用いることも可能である。
【００４１】
そして、上記のようにラベル体１０の長手方向の一端部に筒状部１３を形成した後は、図９に示すように、この筒状部１３を中心にして、ラベル１２が仮着された剥離シート１１の剥離面１１ａが外周側にくるようにしてラベル体１０を巻き取って、図１０に示すようなラベル体巻回体Ａ３を作製した。
【００４２】
ここで、このように作製したラベル体巻回体Ａ３をハンドラベラー（図示せず）に回転可能に保持させ、このラベル体巻回体Ａ３を回転させて上記のラベル体１０を引き出すようにした場合、図１０に示すように、上記のラベル１２が仮着された剥離シート１１の剥離面１１ａが外周面側に位置するようになる。
【００４３】
（実施形態４）
実施形態４におけるラベル体巻回体においても、上記の実施形態１の場合と同様に、図１（Ａ），（Ｂ）に示すラベル体１０を用いるようにしていた。
【００４４】
そして、この実施形態において、上記のラベル体１０の長手方向の一端部に筒状部１３を形成するにあたっては、図１１に示すように、このラベル体１０の長手方向一端部側を、上記の剥離シート１１における剥離面１１ａが内周面側に位置するようにして曲げ、このラベル体１０の端部において、対向する上記の剥離面１１ａ相互を接着剤１４により接着させ、その後、上記のように曲げたラベル体１０の端部をその幅方向に折れ目が形成されるようにして、上記の剥離シート１１の剥離面１１ａと反対側の面１１ｂ相互が重なるように折り返し、ラベル体１０の長手方向の一端部に筒状部１３を形成するようにした。
【００４５】
そして、上記のようにラベル体１０の長手方向の一端部に筒状部１３を形成した後は、図１２に示すように、この筒状部１３を中心にして、ラベル１２が仮着された剥離シート１１の剥離面１１ａが内周側にくるようにしてラベル体１０を巻き取って、図１３に示すようなラベル体巻回体Ａ４を作製した。
【００４６】
ここで、このように作製したラベル体巻回体Ａ４をハンドラベラー（図示せず）に回転可能に保持させ、このラベル体巻回体Ａ４を回転させて上記のラベル体１０を引き出すようにした場合、図１３に示すように、上記のラベル１２が仮着された剥離シート１１の剥離面１１ａが内周面側に位置するようになる。
【００４７】
なお、上記の実施形態１〜４におけるラベル体巻回体Ａ１〜Ａ４においては、上記のようにラベル体１０の長手方向の一端部に筒状部１３を形成してラベル体１０の一端部を固定させ、この筒状部１３を中心にしてラベル体１０をロール状に巻回させるようにしたため、巻芯を用いなくても、巻回させたラベル体巻回体Ａ１〜Ａ４の中心部の径が勝手に収縮するのが防止され、ラベル体巻回体Ａ１〜Ａ４の中心部側の巻きが勝手に緩むということがなく、ラベル体１０が巻回された状態で適切に維持されるようになると共に、このラベル体巻回体Ａ１〜Ａ４から巻回されたラベル体１０を引き出してラベル１２を物品等に貼付する作業が最後まで適切に行えるようになる。
【００４８】
（実施形態５）
実施形態５における粘着テープ巻回体においては、図１４に示すように、テープ基材２１の剥離面２１ａと反対側の面に粘着剤層２２が設けられた長尺状の粘着テープ２０を用いるようにしている。
【００４９】
そして、この実施形態においては、図１５に示すように、上記の粘着テープ２０の長手方向一端部側を、上記の粘着テープ２０の剥離面２１ａが内周側に位置するようにして曲げ、この粘着テープ２０の端部において、対向する上記の剥離面２１ａ相互を接着剤２４により接着させ、その後、この粘着テープ２０の端部と対向する側において、この粘着テープ２０をその幅方向に折れ目が形成されるようにして、上記の粘着テープ２０の粘着剤層２２相互が重なるように折り返し、粘着テープ２０の長手方向の一端部に筒状部２３を形成するようにした。
【００５０】
ここで、このように剥離面２１ａ相互を接着剤２４により接着させる場合、剥離面２１ａの接着性が低いため、接着剤２４としては、一般に剥離面２１ａに使用されるシリコーン系のものと同系統のシリコーン系接着剤を用いることが好ましい。また、この実施形態においては、上記のように接着剤２４を用いるようにしたが、接着剤２４に代えて両面接着テープ（図示せず）を用いることも可能である。
【００５１】
次いで、このように粘着テープ２０の長手方向の一端部に筒状部１３を形成した後は、図１６に示すように、この筒状部２３を中心にして、粘着テープ２０の粘着剤層２２が内周側にくるようにして粘着テープ２０を巻き取り、図１７に示すような粘着テープ巻回体Ｂを作製するようにした。
【００５２】
そして、この実施形態における粘着テープ巻回体Ｂのように、粘着テープ２０の長手方向の一端部に筒状部２３を形成し、この筒状部２３を中心にして、粘着テープ２０の粘着剤層２２が内周側にくるようにして粘着テープ２０を巻き取るようにすると、巻芯を用いなくても、巻回させた粘着テープ巻回体Ｂの中心部の径が勝手に収縮するのが防止され、粘着テープ巻回体Ｂの中心部側の巻きが勝手に緩むということがなく、粘着テープ２０が巻回された状態で適切に維持されるようになる。
【００５３】
なお、この実施形態における粘着テープ巻回体Ｂにおいては、粘着テープ２０の長手方向の一端部に筒状部２３を形成するにあたり、上記のように粘着テープ２０の剥離面２１ａが内周側に位置するようにして筒状に巻き、このように筒状に巻いた粘着テープ２０の端部において、粘着テープ２０の剥離面２１ａ相互を対向させて接着剤２４により接着させるようにしたが、上記の粘着テープ２０における粘着剤層２２が内周側に位置するようにして筒状に巻き、このように筒状に巻いた粘着テープ２０の端部において、粘着テープ２０の粘着剤層２２相互を対向させて接着させることも可能である。
【００５４】
しかし、上記のように粘着テープ２０における粘着剤層２２が内周側に位置するようにして筒状に巻くと、筒状部２３の内周側に粘着テープ２０の粘着剤層２２が位置するようになり、この筒状部２３の内周側における粘着剤層２２にごみが付着しやすくなると共に、この筒状部２３を中心にして粘着テープ２０を巻き取る場合に、この筒状部２３の内周側における粘着剤層２２相互が接着されて、筒状部２３が変形するなどの問題がある。このため、前記のように粘着テープ２０の剥離面２１ａが内周側に位置するようにして、粘着テープ２０の長手方向の一端部に筒状部２３を形成するほうが好ましい。
【００５５】
また、図示していないが、上記のような粘着テープ巻回体におけるテープ基材に代えてラベル基材を用い、このラベル基材の剥離面と反対側の面に粘着剤層が形成されたラベル体を、上記の粘着テープ巻回体の場合と同様にして巻き取ってラベル体巻回体を作製することもできる。
【図面の簡単な説明】
【００５６】
【図１】この発明の実施形態１〜４におけるラベル体巻回体に用いるラベル体を示し、（Ａ）は概略平面図、（Ｂ）は概略側面図である。
【図２】上記の実施形態１におけるラベル体巻回体において、上記のラベル体の長手方向の一端部に筒状部を形成した状態を示した概略説明図である。
【図３】上記の実施形態１におけるラベル体巻回体において、上記のラベル体の長手方向の一端部に形成した筒状部を中心にしてラベル体を巻き取る状態を示した概略説明図である。
【図４】上記の実施形態１におけるラベル体巻回体からラベル体を引き出す状態を示した概略側面図である。
【図５】この発明の実施形態２におけるラベル体巻回体において、上記のラベル体の長手方向の一端部に筒状部を形成した状態を示した概略説明図である。
【図６】上記の実施形態２におけるラベル体巻回体において、上記のラベル体の長手方向の一端部に形成した筒状部を中心にしてラベル体を巻き取る状態を示した概略説明図である。
【図７】上記の実施形態２におけるラベル体巻回体からラベル体を引き出す状態を示した概略側面図である。
【図８】この発明の実施形態３におけるラベル体巻回体において、上記のラベル体の長手方向の一端部に筒状部を形成した状態を示した概略説明図である。
【図９】上記の実施形態３におけるラベル体巻回体において、上記のラベル体の長手方向の一端部に形成した筒状部を中心にしてラベル体を巻き取る状態を示した概略説明図である。
【図１０】上記の実施形態３におけるラベル体巻回体からラベル体を引き出す状態を示した概略側面図である。
【図１１】この発明の実施形態４におけるラベル体巻回体において、上記のラベル体の長手方向の一端部に筒状部を形成した状態を示した概略説明図である。
【図１２】上記の実施形態４におけるラベル体巻回体において、上記のラベル体の長手方向の一端部に形成した筒状部を中心にしてラベル体を巻き取る状態を示した概略説明図である。
【図１３】上記の実施形態４におけるラベル体巻回体からラベル体を引き出す状態を示した概略側面図である。
【図１４】この発明の実施形態５における粘着テープ巻回体に用いる粘着テープの概略斜視図である。
【図１５】上記の実施形態５における粘着テープ巻回体において、上記の粘着テープの長手方向の一端部に筒状部を形成した状態を示した概略説明図である。
【図１６】上記の実施形態５における粘着テープ巻回体において、上記の粘着テープの長手方向の一端部に形成した筒状部を中心にして、粘着テープを巻き取る状態を示した概略説明図である。
【図１７】上記の実施形態６における粘着テープ巻回体から粘着テープを引き出す状態を示した概略側面図である。
【符号の説明】
【００５７】
Ａ１，Ａ２，Ａ３．Ａ４  ラベル体巻回体
１０  ラベル体
１１  剥離シート
１１ａ  剥離面
１２  ラベル
１２ａ  粘着剤層
１３  筒状部
１４  接着剤
Ｂ  粘着テープ巻回体
２０  粘着テープ
２１  テープ基材
２１ａ  剥離面
２２  粘着剤層
２３  筒状部
２４  接着剤
【図１】
2006076703.tif 000003
【図２】
2006076703.tif 000004
【図３】
2006076703.tif 000005
【図４】
2006076703.tif 000006
【図５】
2006076703.tif 000007
【図６】
2006076703.tif 000008
【図７】
2006076703.tif 000009
【図８】
2006076703.tif 000010
【図９】
2006076703.tif 000011
【図１０】
2006076703.tif 000012
【図１１】
2006076703.tif 000013
【図１２】
2006076703.tif 000014
【図１３】
2006076703.tif 000015
【図１４】
2006076703.tif 000016
【図１５】
2006076703.tif 000017
【図１６】
2006076703.tif 000018
【図１７】
2006076703.tif 000019